(57)【要約】【課題】内容液の意図しない噴出を抑制することができる泡噴出容器を提供する。【解決手段】本発明に係る泡噴出容器１は、可撓性を有する胴部１２を備え、内容液の収容空間Ｓを有する容器本体１０と、内容液を噴出させるノズル４０と、容器本体１０の口部１１に装着される装着キャップ２０と、ノズル４０が装着されるノズル筒３０とを備えるノズルキャップＣと、ノズル４０に連なる混合室５２を収容空間Ｓに連ねる空気導入孔５３および液導入孔５４を備える区画部材５０とを備え、ノズル４０は、ノズル筒３０に装着される連結部材４２と、連結部材４２に保持され、複数の噴出孔４４ｄ，４４ｅを有する先端ノズル部４４とを有し、連結部材４２に対して先端ノズル部４４が、ノズル筒３０の中心軸線に沿った並進移動、又は中心軸線周りに回転移動することにより、内容液を噴出不能とする閉塞状態と、内容液を噴出可能な開放状態とを切り換え可能であることを特徴とする。【選択図】図１
2019081601.tif 000002
【特許請求の範囲】
【請求項１】
可撓性を有する胴部を備え、内容液の収容空間を有する容器本体と、
内容液を噴出させるノズルと、
前記容器本体の口部に装着される装着キャップと、前記ノズルが装着されるノズル筒とを備えるノズルキャップと、
前記ノズルに連なる混合室を内部に備えるとともに該混合室を前記収容空間に連ねる空気導入孔および液導入孔を底部に備える区画部材と
を備える泡噴出容器であって、
前記ノズルは、前記ノズル筒に装着される連結部材と、該連結部材に保持され、複数の噴出孔を有する先端ノズル部とを有し、
前記連結部材に対して前記先端ノズル部が、前記ノズル筒の中心軸線に沿った並進移動、又は該中心軸線周りに回転移動することにより、内容液を噴出不能とする閉塞状態と、内容液を噴出可能な開放状態とを切り換え可能であることを特徴とする泡噴出容器。
【請求項２】
前記開放状態は、内容液を第１の噴出パターンで噴出可能な第１開放状態と、内容液を第２の噴出パターンで噴出可能な第２開放状態とを有する、請求項１に記載の泡噴出容器。
【請求項３】
前記連結部材は、中央壁と外周壁との間に形成され前記中心軸線に沿う筒状流路を有し、前記先端ノズル部は、前記複数の噴出孔を有し前記ノズル筒の先端を覆うノズル壁と、該ノズル壁から上流方向に延び前記筒状流路に嵌合可能な筒状の閉塞部材と、前記連結部材の嵌合周壁が前記中心軸線に沿って相対移動可能に嵌合可能な被嵌合周壁とを有し、前記複数の噴出孔は、前記閉塞部材の径方向内側及び径方向外側にそれぞれ形成されている、請求項１又は２に記載の泡噴出容器。
【請求項４】
前記嵌合周壁及び前記被嵌合周壁の対向面には、一対のねじ係合部が形成されている、請求項３に記載の泡噴出容器。
【請求項５】
前記連結部材及び前記先端ノズル部は、前記閉塞状態において互いに係合する一対の係合部を有する、請求項１乃至４のいずれか一項に記載の泡噴出容器。
【請求項６】
前記混合室に発泡部材が設けられている、請求項１乃至５のいずれか一項に記載の泡噴出容器。
【請求項７】
前記区画部材の外側に設けられ、前記ノズルを前記収容空間に連ねる戻し流路と、
前記戻し流路に設けられ、前記収容空間から前記戻し流路を通した前記ノズル側への内容液の流れを阻止すると共に前記ノズルから前記戻し流路を通した前記収容空間への内容液の流れを許容する第１逆止弁を有する、請求項１乃至６のいずれか一項に記載の泡噴出容器。
【請求項８】
前記混合室の下流側に設けられ、前記胴部の押圧時に内容液を前記ノズルへと導く第２逆止弁を有する、請求項１乃至７のいずれか一項に記載の泡噴出容器。
【発明の詳細な説明】
【技術分野】
【０００１】
本発明は、容器本体の胴部が圧搾（スクイズ）されることにより、容器本体の内部に収容された内容液を空気と混合してノズルから泡状に噴出させる泡噴出容器に関する。
【背景技術】
【０００２】
シャンプー、ボディソープ、ハンドソープ、洗顔料等の各種液体洗浄剤や整髪剤等の内容液を収容する容器としては、泡立て動作を省略して簡便な利用を図る観点から、容器本体に収容した内容液を空気と混合してノズルから泡状に噴出させるようにした泡噴出容器が多く用いられている。
【０００３】
このような泡噴出容器では、内容液の吐出流路に内容液を空気と混合させる混合室を設け、容器本体の胴部を圧搾することで、容器本体に収容された内容液を混合室において空気と混合させ、これにより内容液を泡状に発泡させてノズルから噴出させるようにしている。この場合、内容液をより効果的に泡状に発泡させるために、例えばメッシュ等からなる発泡部材を混合室に設けることもできる（例えば、特許文献１参照）。
【先行技術文献】
【特許文献】
【０００４】
【特許文献１】特開２０１４−４６９３８号公報
【発明の概要】
【発明が解決しようとする課題】
【０００５】
しかし、上記の泡噴出容器では、持ち運びの際などに容器本体の胴部を誤ってスクイズすることで、利用者の意図に反して内容物がノズルから噴出されてしまうことがあった。
【０００６】
本発明は、このような問題点を解決することを課題とするものであり、その目的は、内容液の意図しない噴出を抑制することができる泡噴出容器を提供することにある。
【課題を解決するための手段】
【０００７】
本発明の泡噴出容器は、
可撓性を有する胴部を備え、内容液の収容空間を有する容器本体と、
内容液を噴出させるノズルと、
前記容器本体の口部に装着される装着キャップと、前記ノズルが装着されるノズル筒とを備えるノズルキャップと、
前記ノズルに連なる混合室を内部に備えるとともに該混合室を前記収容空間に連ねる空気導入孔および液導入孔を底部に備える区画部材と
を備える泡噴出容器であって、
前記ノズルは、前記ノズル筒に装着される連結部材と、該連結部材に保持され、複数の噴出孔を有する先端ノズル部とを有し、
前記連結部材に対して前記先端ノズル部が、前記ノズル筒の中心軸線に沿った並進移動、又は該中心軸線周りに回転移動することにより、内容液を噴出不能とする閉塞状態と、内容液を噴出可能な開放状態とを切り換え可能であることを特徴とする。
【０００８】
本発明の泡噴出容器は、上記構成において、前記開放状態は、内容液を第１の噴出パターンで噴出可能な第１開放状態と、内容液を第２の噴出パターンで噴出可能な第２開放状態とを有することが好ましい。
【０００９】
本発明の泡噴出容器は、上記構成において、前記連結部材は、中央壁と外周壁との間に形成され前記中心軸線に沿う筒状流路を有し、前記先端ノズル部は、前記複数の噴出孔を有し前記ノズル筒の先端を覆うノズル壁と、該ノズル壁から上流方向に延び前記筒状流路に嵌合可能な筒状の閉塞部材と、前記連結部材の嵌合周壁が前記中心軸線に沿って相対移動可能に嵌合可能な被嵌合周壁とを有し、前記複数の噴出孔は、前記閉塞部材の径方向内側及び径方向外側にそれぞれ形成されていることが好ましい。
【００１０】
本発明の泡噴出容器は、上記構成において、前記嵌合周壁及び前記被嵌合周壁の対向面には、一対のねじ係合部が形成されていることが好ましい。
【００１１】
本発明の泡噴出容器は、上記構成において、前記連結部材及び前記先端ノズル部は、前記閉塞状態において互いに係合する一対の係合部を有することが好ましい。
【００１２】
本発明の泡噴出容器は、上記構成において、前記混合室に発泡部材が設けられていることが好ましい。
【００１３】
本発明の泡噴出容器は、上記構成において、前記区画部材の外側に設けられ、前記ノズルを前記収容空間に連ねる戻し流路と、
前記戻し流路に設けられ、前記収容空間から前記戻し流路を通した前記ノズル側への内容液の流れを阻止すると共に前記ノズルから前記戻し流路を通した前記収容空間への内容液の流れを許容する第１逆止弁を有することが好ましい。
【００１４】
本発明の泡噴出容器は、上記構成において、前記混合室の下流側に設けられ、前記胴部の押圧時に内容液を前記ノズルへと導く第２逆止弁を有することが好ましい。
【発明の効果】
【００１５】
本発明によれば、内容液の意図しない噴出を抑制することができる泡噴出容器を提供することができる。
【図面の簡単な説明】
【００１６】
【図１】本発明の第１実施形態である泡噴出容器の一部断面図である。
【図２】（ａ）は、図１のノズル部分を内容液の噴射方向（前方）から見た図であり、（ｂ）は、図１におけるノズル部分（閉塞状態）の拡大断面図であり、（ｃ）は、図１におけるノズル部分（閉塞状態）の外観を示す拡大図である。
【図３】（ａ）は、ノズル部分（ジェット吐出時）の拡大断面図であり、（ｂ）は、ノズル部分（シャワー吐出時）の拡大断面図である。
【図４】本発明の第２実施形態である泡噴出容器の一部断面図である。
【発明を実施するための形態】
【００１７】
以下、図面を参照して本発明をより詳細に例示説明する。
【００１８】
図１に示す本発明の第１実施形態である泡噴出容器１は、スクイズフォーマーとも呼ばれるものであり、シャンプー、ボディソープ、ハンドソープ、洗顔料等の各種液体洗浄剤や整髪剤等の内容液を収容するとともに、当該内容液を泡状に噴出させるものである。なお、本明細書、特許請求の範囲、要約書および図面では、ノズル筒３０が位置する側を上方（図１における上側）とし、容器本体１０が位置する側を下方（図１における下側）とする。また、図１における左方（先端ノズル部４４側）を前側とし、前側に対向する側を後側とする。内容液が流れる流路は、容器本体１０側が上流側であり、ノズル４０側が下流側である。
【００１９】
図１に示すように、この泡噴出容器１は容器本体１０を備えている。容器本体１０は上部を開口させた円筒状の口部１１とこの口部１１に連なる楕円筒状の胴部１２とを備え、その内部は内容液を収容する収容空間Ｓとなっている。この容器本体１０は合成樹脂製となっており、その胴部１２は可撓性を有し、胴部１２を圧搾（スクイズ）することにより収容空間Ｓを減容させ、容器本体１０内を加圧することができるようになっている。
【００２０】
図１に示すように、容器本体１０の口部１１にはノズルキャップＣが装着されている。このノズルキャップＣは、例えば図示するように、装着キャップ２０とノズル筒３０とを備えた構成とすることができる。
【００２１】
例えば樹脂製とされる装着キャップ２０は、容器本体１０の口部１１を取り囲む円筒状の装着部２１を有し、この装着部２１の内周面に設けられた雌ねじ部２１ａが口部１１の外周面に設けられた雄ねじ部１１ａにねじ結合することにより、容器本体１０の口部１１にねじ込み固定された状態で装着されている。装着部２１の内側にはシール筒部２２が同軸且つ一体に設けられ、このシール筒部２２が口部１１の内側に嵌め込まれることで、装着キャップ２０と口部１１との嵌合部分がシールされて当該部分からの液漏れが防止されるようになっている。
【００２２】
口部１１の根元には小突起１１ｂと大突起１１ｃとが周方向に間隔を空けて設けられ、装着部２１の下端部には、これらの突起１１ｂ、１１ｃに対応した回り止めリブ２１ｂが設けられている。装着キャップ２０が口部１１にねじ込まれると、そのねじ込み終了直前に回り止めリブ２１ｂが小突起１１ｂを乗り越えて小突起１１ｂと大突起１１ｃとの間に配置され、これにより装着キャップ２０は口部１１に対して回り止め保持される。
【００２３】
図示する場合では、装着キャップ２０の装着部２１を容器本体１０の口部１１にねじ結合により固定するようにしているが、装着部２１を容器本体１０の口部１１にアンダーカットで固定させる構成とすることもできる。
【００２４】
シール筒部２２の上方側に向け延びた部分の上端には径方向内側に向けて延びる段差部２３が一体に設けられている。
【００２５】
段差部２３の径方向内側には、後述するようにノズル４０から容器本体１０の収容空間Ｓ側への内容液や空気の流れを許容する戻し流路６０が形成されている。また、装着キャップ２０は、この段差部２３を介して、略水平方向に延び先端にノズル４０が装着されるノズル筒３０に連結されている。本実施形態では、装着キャップ２０とノズル筒３０は、一体形成されている。なお、ノズル筒３０及び戻し流路６０の詳細については後ほど詳述する。
【００２６】
戻し流路６０の径方向内側には、流通筒部２５及び弁固定筒２６が、ノズル筒３０と一体に設けられている。流通筒部２５及び弁固定筒２６は装着部２１と同軸の円筒状に形成され、ノズル筒３０の下面から垂下している。流通筒部２５の内側は内容液の流通路２５ａとなっており、この流通路２５ａは容器本体１０の口部１１つまり収容空間Ｓに連通している。したがって、容器本体１０の収容空間Ｓ内の内容液や空気は、この流通路２５ａを通って装着キャップ２０の外部に向けて流出することができる。
【００２７】
ノズル筒３０は、装着キャップ２０の上方から、前方（図１における左方）に向かってやや上方に傾斜しつつ延びる筒状部材である。ノズル筒３０の下面には流通路２５ａに通じる流出孔３８、及び戻し流路６０に通じる流入孔３６が形成されている。ノズル筒３０は、断面円形となる筒状に形成されており、内側空間が流出孔３８からの内容液をノズル４０へと導くノズル流路Ｎを形成している。ノズル筒３０の先端筒部３２には、ノズル４０を形成する連結部材４２が装着されている。先端筒部３２の外周面には、連結部材４２の係合突部４２ｇがアンダーカット係合する突出部３２ａが形成されており、これによって連結部材４２はノズル筒３０の先端筒部３２に強固に固定されている。なお、連結部材４２と先端ノズル部４４とを備えるノズル４０の構成については後ほど詳述する。
【００２８】
流通筒部２５の径方向外側には、区画部材５０が装着されている。区画部材５０は例えば樹脂材により円筒状に形成され、その上端に設けられた嵌合部５０ａが流通筒部２５の外周面に嵌合固定されて装着キャップ２０及びノズル筒３０に支持されている。
【００２９】
区画部材５０の下端には孔形成部５１が嵌合固定され、孔形成部５１が固定されることにより区画部材５０の内部には混合室５２が区画形成されている。また、孔形成部５１は、区画部材５０と共に区画部材５０の下端側に空気導入孔５３と液導入孔５４とを区画形成する。空気導入孔５３は混合室５２を収容空間Ｓ（容器本体１０の内部）に連通させており、収容空間Ｓ内の空気は空気導入孔５３を通して混合室５２に導入される。一方、液導入孔５４には容器本体１０の底部にまで延びるチューブ５５が接続され、当該チューブ５５を介して液導入孔５４は混合室５２を収容空間Ｓに連通させている。したがって、収容空間Ｓ内の内容液はチューブ５５と液導入孔５４とを介して混合室５２に導入される。
【００３０】
なお、孔形成部５１には空気導入孔５３からの内容液の侵入を抑制するための傘状体５６が一体に設けられている。
【００３１】
混合室５２の下流側に位置する流通路２５ａ内には、一対の発泡部材５７が設けられている。これらの発泡部材５７としては、例えばリングの端面にメッシュを固定した構成のものが用いることができ、この場合、発泡部材５７は互いのメッシュを逆側に向けた姿勢で流通筒部２５の内周面に嵌合固定されている。なお、発泡部材５７としてはリングとメッシュを備えた構造のものに限らず、内容液の種類等に応じて種々の構成のものを用いることができる。また、発泡部材５７の設置個数も内容液の種類等に応じて種々変更することができる。
【００３２】
区画部材５０の混合室５２は、流通路２５ａに連通し、さらに流通路２５ａと流出孔３８とを介してノズル流路Ｎ及びノズル４０に連通している。
【００３３】
区画部材５０の外側には、区画部材５０の内側を通る流路とは別系統で、容器本体１０の収容空間Ｓとノズル４０とを連ねる戻し流路６０が設けられている。つまり、ノズル流路Ｎ及びノズル４０は、この戻し流路６０を通じても容器本体１０の収容空間Ｓに連通している。
【００３４】
戻し流路６０には、第１逆止弁６１が設けられている。この第１逆止弁６１は、流通筒部２５と同心状に設けられ、ノズル筒３０の下面から垂下する弁固定筒２６の外周面に嵌合固定される円筒状の保持部６１ａと、この保持部６１ａの外周面から径方向外側に延びる環状且つ膜状のシール膜部６１ｂとを有している。
【００３５】
シール膜部６１ｂは、その外周縁において装着キャップ２０の段差部２３の下向き内面に下方側から弾性的に当接している。このような構成により、第１逆止弁６１は、容器本体１０の収容空間Ｓから戻し流路６０を通したノズル４０側への内容液や空気の流れを阻止するとともに、ノズル４０から戻し流路６０を通した容器本体１０の収容空間Ｓ側への内容液や空気の流れを許容するように作動することができる。
【００３６】
ノズル４０は、図１に示すように、ノズル筒３０の先端筒部３２に固定される連結部材４２と、連結部材４２に対して相対移動可能に装着される先端ノズル部４４とを有している。連結部材４２は、ノズル筒３０の先端筒部３２の外周面を覆う嵌合周壁４２ｄと、嵌合周壁４２ｄの前側端から径方向内側に延びる前壁４２ｈと、前壁４２ｈの内周端から前方に延びる外周壁４２ａとを有している。嵌合周壁４２ｄの外周面には、先端ノズル部４４の被嵌合周壁４４ｆの内周面に形成された雌ねじ部４４ｈにねじ係合可能な雄ねじ部４２ｅが設けられている。
【００３７】
連結部材４２の外周壁４２ａの径方向内側には、中央に形成された中央壁４２ｂとの間に円筒形状を有する筒状流路４２ｃが形成されている。図１に示すノズル４０の閉塞状態において、筒状流路４２ｃには、先端ノズル部４４の前端を構成するノズル壁４４ａから後方（上流側）に延びる筒状の閉塞部材４４ｃが嵌合している。これによって、筒状流路４２ｃは閉塞部材４４ｃによって閉塞され、ノズル筒３０内まで導かれた収容空間Ｓ内の内容液は、ノズル４０からの注出を規制されている。
【００３８】
先端ノズル部４４は、嵌合周壁４２ｄの径方向外側を覆う被嵌合周壁４４ｆと、被嵌合周壁４４ｆの前側端から径方向内側に延びる前壁４４ｇと、前壁４４ｇの内周端から前方に延びる先端周壁４４ｂとを有している。また、先端周壁４４ｂの前端には、内容液を噴出する噴出孔４４ｄ，４４ｅが形成されノズル筒３０の先端を覆うノズル壁４４ａが設けられている。
【００３９】
図２（ａ）は、先端ノズル部４４を前方から見た、ノズル壁４４ａの構成を示している。本実施形態では、ノズル壁４４ａは、径方向中央に１つの噴出孔４４ｄと、噴出孔４４ｄの径方向外側において周方向の４箇所に等間隔で噴出孔４４ｄよりも小径の噴出孔４４ｅが形成されている。図２（ｂ）に示すように、噴出孔４４ｄは、閉塞部材４４ｃの径方向内側に形成される一方、噴出孔４４ｅは、閉塞部材４４ｃの径方向外側に形成されている。
【００４０】
図２（ｂ）に示す内溶液が噴出不能なノズル４０の閉塞状態では、嵌合周壁４２ｄの前端部に形成され半径方向に延びる係合リブ４２ｋが、先端ノズル部４４の前壁４４ｇの後面に設けられ半径方向に延びる凹溝４４ｊに係合している。これによって、先端ノズル部４４が連結部材４２に対して容易に回転してノズル４０の閉塞状態が解除されるのを抑制している。このように、連結部材４２の係合リブ４２ｋと先端ノズル部４４の凹溝４４ｊとは、一対の係合部を形成している。
【００４１】
図２（ｃ）は、ノズル４０の閉塞状態におけるノズル４０部分の外観を示している。ノズル４０の閉塞状態では、閉塞部材４４ｃを筒状流路４２ｃに嵌合させることで流路を閉塞させるために、閉塞部材４４ｃと一体形成される被嵌合周壁４４ｆを嵌合周壁４２ｄに対してねじ係合させることで右方に最大距離だけ相対移動させている。利用者は、被嵌合周壁４４ｆの後端とノズル筒３０の突起部３０ｂとの前後方向の隙間Ｇが最小となり、且つ図２（ｃ）に示す先端ノズル部４４側の位置合わせマークの周方向位置がノズル筒３０側の閉塞状態に対応するマークに合致していると認識することにより、ノズル４０が閉塞状態にあると理解することができる。
【００４２】
次に、このような構成の泡噴出容器１の使用方法について説明する。
【００４３】
この泡噴出容器１は、流通時などの内容液の噴出が行われないときには、図２（ｂ）、（ｃ）に示すようにノズル４０を閉塞状態とすることにより、ノズル４０と容器本体１０の収容空間Ｓとの連通を遮断し、この泡噴出容器１を使用不能状態とすることができる。これによって、流通時や不使用時等において胴部１２が不意に圧搾される等しても、容器本体１０内の内容液がノズル４０を通して外部に漏れ出すことを確実に抑制することができる。
【００４４】
図２（ｂ）、（ｃ）に示すノズル４０の閉塞状態からノズル４０を開いて内容液を噴出させるには、先端ノズル部４４を内容液の噴出方向（前方）から見て反時計回りに回動させて、嵌合周壁４２ｄの雄ねじ部４２ｅと被嵌合周壁４４ｆの雌ねじ部４４ｈとのねじ係合を緩める。このとき、まず上述の係合リブ４２ｋと凹溝４４ｊとの係合を解除するため、利用者は、先端ノズル部４４に対して所定の回転トルクを作用させる必要がある。
【００４５】
上記のねじ係合の解除に伴い、図３（ａ）に示すように、先端ノズル部４４は中心軸線周りの回転と共に前方に移動する。図示の例では、先端ノズル部４４は、図２（ｂ）に示すノズル４０の閉塞状態から前方に相対移動しており、閉塞部材４４ｃの後端が中央壁４２ｂから離間している。一方、連結部材４２の外周壁４２ａは、中央壁４２ｂよりも更に前方まで延在するため、閉塞部材４４ｃは依然として外周壁４２ａに当接した状態を維持している。これによって、ノズル流路Ｎに通じる筒状流路４２ｃと噴出孔４４ｄとが連通する一方、ノズル流路Ｎと噴出孔４４ｅとは非連通状態を維持することになる。このため、容器本体１０内の内容液を噴出孔４４ｄから噴出可能（第１の噴出パターン）な状態となる。
【００４６】
ノズル４０が図３（ａ）に示す第１の噴出パターンに対応した開放状態に位置決めされると、容器本体１０の胴部１２を圧搾することでノズル４０から泡状の内容液をジェット吐出により噴出させることができる。つまり、胴部１２が圧搾されると、容器本体１０の収容空間Ｓに収容された内容液がチューブ５５と液導入孔５４を介して混合室５２に導入されるとともに容器本体１０内の空気が空気導入孔５３を介して混合室５２に導入され、混合室５２の内部で内容液が空気と混合されて発泡し、泡状化される。また、泡状化された内容液は、発泡部材５７を通過することで、さらに発泡、整泡されながら流通路２５ａを通過し、流出孔３８を通ってノズル流路Ｎに達する。泡状化されたノズル流路Ｎ内の内容液は、正圧によってノズル４０に達し、筒状流路４２ｃを通って中央の噴出孔４４ｄから噴出される。ノズル流路Ｎの断面積に比べて噴出孔４４ｄの開口面積が十分に小さいため、噴出孔４４ｄを通過する内容液は、流速を高められた状態で勢いよく噴出される。
【００４７】
利用者は、ノズル４０が図３（ａ）に示す第１の噴出パターンに対応した開放状態にあることを、隙間Ｇ、及び位置合わせマークの周方向位置により認識することができる。すなわち、隙間Ｇがノズル４０の閉塞状態における隙間よりも所定距離だけ大きくなっており、且つ先端ノズル部４４側の位置合わせマークの周方向位置がノズル筒３０側の第１の噴出パターンに対応するマークに合致していると認識することにより、ノズル４０が第１の噴出パターンに対応した開放状態にあると理解することができる。
【００４８】
また、利用者は、先端ノズル部４４を前方から見て中心軸線周りに更に反時計回りに回転させることにより、ノズル４０を、図３（ｂ）に示す第２の噴出パターンに対応した開放状態とすることができる。図示の例では、先端ノズル部４４は、図３（ａ）に示す第１の噴出パターンに対応した開放状態から更に所定距離だけ前方に相対移動しており、閉塞部材４４ｃの後端が中央壁４２ｂに加えて外周壁４２ａからも離間している。これに伴い、ノズル流路Ｎに通じる筒状流路４２ｃと噴出孔４４ｄ，４４ｅとが連通し、容器本体１０内の内容液を噴出孔４４ｄ，４４ｅから噴出可能な状態となる。
【００４９】
ノズル４０が図３（ｂ）に示す第２の噴出パターンに対応した開放状態に位置決めされると、容器本体１０の胴部１２を圧搾することでノズル４０から泡状の内容液をシャワー吐出により噴出させることができる。つまり、胴部１２が圧搾されると、容器本体１０の収容空間Ｓに収容された内容液がチューブ５５と液導入孔５４を介して混合室５２に導入されるとともに容器本体１０内の空気が空気導入孔５３を介して混合室５２に導入され、混合室５２の内部で内容液が空気と混合されて発泡し、泡状化される。また、泡状化された内容液は、発泡部材５７を通過することで、さらに発泡、整泡されながら流通路２５ａを通過し、流出孔３８を通ってノズル流路Ｎに達する。泡状化されたノズル流路Ｎ内の内容液は、正圧によってノズル４０に達し、筒状流路４２ｃを通って径方向中央の噴出孔４４ｄ及び径方向外側の噴出孔４４ｅからシャワー状に噴出される。
【００５０】
利用者は、ノズル４０が図３（ｂ）に示す第２の噴出パターンに対応した開放状態にあることを、隙間Ｇ、及び位置合わせマークの周方向位置により認識することができる。すなわち、隙間Ｇがノズル４０の第１の噴出パターンに対応した開放状態における隙間よりも所定距離だけ大きくなっており、且つ先端ノズル部４４側の位置合わせマークの周方向位置がノズル筒３０側の第２の噴出パターンに対応するマークに合致していると認識することにより、ノズル４０が第２の噴出パターンに対応した開放状態にあると理解することができる。
【００５１】
内容液の噴出後に胴部１２の圧搾が解除されると、胴部１２が元の形状に復元することで容器本体１０内に負圧が発生し、図１に示すように、この負圧によりシール膜部６１ｂが段差部２３から離れて第１逆止弁６１が開き、ノズル流路Ｎの内部に残留した内容液がノズル４０から吸引される空気（外気）とともに戻し流路６０を介して容器本体１０の収容空間Ｓの内部に引き込まれる。サックバック機能とも呼ばれるこのような機能により、噴出後にノズル流路Ｎの内部に残留した内容液を空気とともに容器本体１０の内部に向けて引き込むことができる。
【００５２】
なお、本実施形態では、嵌合周壁４２ｄ及び被嵌合周壁４４ｆが雄ねじ部４２ｅ及び雌ねじ部４４ｈによりねじ係合され、先端ノズル部４４をノズル筒３０の中心軸線周りに回転させることで先端ノズル部４４を連結部材４２に対して並進移動させてノズル４０を閉塞状態と開放状態との間で切り換えるように構成したが、この態様には限定されない。例えば、嵌合周壁４２ｄ及び被嵌合周壁４４ｆの対向面が中心軸線方向に延びる一対のリブ及び凹溝を有し、先端ノズル部４４を連結部材４２に対して中心軸線に沿って並進移動させることで、ノズル４０を閉塞状態と開放状態との間で切り換えるように構成してもよい。また、先端ノズル部４４を中心軸線に沿って並進移動させることなく中心軸線周りに回転させることで、連結部材側に形成されている流路と先端ノズル部側に形成されている噴出孔との連通の有無を切り換えてノズルの閉塞状態と開放状態とを切り換えるように構成してもよい。
【００５３】
また、本実施形態では、先端ノズル部４４を連結部材４２に対して１回転させる毎にノズル４０の閉塞状態と開放状態との切り換え、及び第１開放状態と第２開放状態との切り換えを行うように構成したが、この態様には限定されない。先端ノズル部４４を連結部材４２に対してｎ回転（ｎは２以上の整数）させる毎に上記切り換えが行われるように構成してもよい。
【００５４】
また、本実施形態では、連結部材４２及び先端ノズル部４４は、閉塞状態において前後方向に対向して互いに係合する係合リブ４２ｋ及び凹溝４４ｊ（一対の係合部）を有するように構成したが、この態様には限定されない。係合リブ及び凹溝は、例えば半径方向に対向するように設けてもよい。また、係合リブ及び凹溝の組み合わせに代えて、例えば、径方向に突出する突部同士が互いにアンダーカット係合することで前後方向の動きが規制されるように構成してもよい。
【００５５】
また、本実施形態では、ノズル４０の断面形状は円形に構成したが、この態様には限定されず、楕円形や矩形形状とするなど、種々変更可能である。
【００５６】
また、本実施形態では、装着キャップ２０とノズル筒３０とを一体形成するように構成したが、この態様には限定されず、装着キャップ２０とノズル筒３０とは別体で設けてもよい。
【００５７】
以上述べたように、本実施形態では、可撓性を有する胴部１２を備え、内容液の収容空間Ｓを形成する容器本体１０と、内容液を噴出させるノズル４０と、容器本体１０の口部１１に装着される装着キャップ２０と、ノズル４０が装着されるノズル筒３０とを備えるノズルキャップＣとを備え、ノズル４０は、ノズル筒３０に装着される連結部材４２と、連結部材４２に保持され、複数の噴出孔４４ｄ，４４ｅを有する先端ノズル部４４とを有し、連結部材４２に対して先端ノズル部４４が、ノズル筒３０の中心軸線に沿った並進移動、又は中心軸線周りに回転移動することにより、内容液を噴出不能とする閉塞状態と、内容液を噴出可能な開放状態とを切り換え可能であるように構成した。これによって、胴部１２を誤ってスクイズすることで、利用者の意図に反して内容物がノズル４０から噴出されてしまうのを抑制することができる。
【００５８】
また、本実施形態では、ノズル４０の開放状態は、内容液を第１の噴出パターンで噴出可能な第１開放状態と、内容液を第２の噴出パターンで噴出可能な第２開放状態とを有するように構成した。これによって、ノズル４０に内容液を噴出不能とする機能に加えて、噴出状態を少なくとも第１の噴出パターンと第２の噴出パターンの間で切り換える機能を付加することができるので、利用者の多様なニーズに合致させた泡噴出容器１を提供することができる。
【００５９】
また、本実施形態では、連結部材４２は、中央壁４２ｂと外周壁４２ａとの間に形成され中心軸線に沿う筒状流路４２ｃを有し、先端ノズル部４４は、複数の噴出孔４４ｄ，４４ｅを有しノズル筒３０の先端を覆うノズル壁４４ａと、ノズル壁４４ａから上流方向に延び筒状流路４２ｃに嵌合可能な筒状の閉塞部材４４ｃと、連結部材４２の嵌合周壁４２ｄが中心軸線に沿って相対移動可能に嵌合可能な被嵌合周壁４４ｆとを有し、複数の噴出孔４４ｄ，４４ｅは、閉塞部材４４ｃの径方向内側及び径方向外側にそれぞれ形成されるように構成した。これによって、先端ノズル部４４を連結部材４２に対して中心軸線に沿って並進移動させるだけでノズル４０を閉塞状態と開放状態との間で切り換えることができる。
【００６０】
また、本実施形態では、嵌合周壁４２ｄ及び被嵌合周壁４４ｆの対向面に雄ねじ部４２ｅ及び雌ねじ部４４ｈ（一対のねじ係合部）が形成されるように構成した。これによって、先端ノズル部４４を中心軸線周りに回転させることで連結部材４２に対して並進移動させてノズル４０を閉塞状態と開放状態との間で切り換えることができる。
【００６１】
また、本実施形態では、連結部材４２及び先端ノズル部４４は、ノズル４０の閉塞状態において互いに係合する係合リブ４２ｋ及び凹溝４４ｊ（一対の係合部）を有するように構成した。これによって、ノズル４０の閉塞状態から開放状態へと遷移させる際に先端ノズル部４４に所定の回転モーメントを作用させる必要があるので、利用者の意図に反してノズル４０が開放されてしまうのを抑制することができる。
【００６２】
また、本実施形態では、混合室５２に発泡部材５７が設けられるように構成した。これによって、混合室５２において発泡された内容液を更にきめ細かな泡状の内容液へと整泡することができる。
【００６３】
また、本実施形態では、区画部材５０の外側に設けられ、ノズル４０を収容空間Ｓに連ねる戻し流路６０と、戻し流路６０に設けられ、収容空間Ｓから戻し流路６０を通したノズル４０側への内容液の流れを阻止すると共にノズル４０から戻し流路６０を通した収容空間Ｓへの内容液の流れを許容する第１逆止弁６１を有するように構成した。これによって、内容液を噴出後に、ノズル流路Ｎ内に残留する内容液を空気と共に戻し流路６０を経由して容器本体１０の内部に向けて引き込むことができる。
【００６４】
次に、本発明の第２実施形態である泡噴出容器１０１について、図面を参照して例示説明する。
【００６５】
図４に示す本発明の第２実施形態である泡噴出容器１０１は、第１実施形態と同様に、可撓性を有する胴部１２を備え、内容液の収容空間Ｓを有する容器本体１０と、内容液を噴出させるノズル４０と、容器本体１０の口部１１に装着される装着キャップ２０と、ノズル４０が装着されるノズル筒３０とを備えるノズルキャップＣと、ノズル４０に連なる混合室５２を内部に備えるとともに混合室５２を収容空間Ｓに連ねる空気導入孔５３および液導入孔５４を底部に備える区画部材５０を有している。なお、本実施形態は、流出孔１３８に第２逆止弁１６５を設けることを除いては、第１実施形態と近似している。従って、主に第２逆止弁１６５の構成について詳説する。
【００６６】
本実施形態では、ノズル筒３０の下面には流通路２５ａに通じる流出孔１３８、及び戻し流路６０に通じる流入孔３６が形成されている。ノズル筒３０は、断面円形となる筒状に形成されており、内側空間が流出孔１３８からの内容液をノズル４０へと導くノズル流路Ｎを形成している。流出孔１３８には、胴部１２の押圧時に収容空間Ｓ内の内容液をノズル４０へ導くと共にノズル４０から収容空間Ｓへの内容液及び空気の流入を規制する第２逆止弁１６５が設けられている。第２逆止弁１６５は、保持部１６５ａの上端部に傘状の弁体１６５ｂが形成されており、弁体１６５ｂの外周端がノズル筒３０の下壁の内周面に当接することで閉塞状態となる。
【００６７】
ノズル４０が第１の噴出パターンに対応した開放状態に位置決めされると、容器本体１０の胴部１２を圧搾することでノズル４０から泡状の内容液をジェット吐出により噴出させることができる。つまり、胴部１２が圧搾されると、容器本体１０の収容空間Ｓに収容された内容液がチューブ５５と液導入孔５４を介して混合室５２に導入されるとともに容器本体１０内の空気が空気導入孔５３を介して混合室５２に導入され、混合室５２の内部で内容液が空気と混合されて発泡し、泡状化される。また、泡状化された内容液は、発泡部材５７を通過することで、さらに発泡、整泡されながら流通路２５ａを通過する。胴部１２の圧搾による収容空間Ｓ内の正圧によって流通路２５ａ内にも正圧が生じているため、第２逆止弁１６５は開放状態となり、発泡された内容液は流出孔１３８を通ってノズル流路Ｎに達する。泡状化されたノズル流路Ｎ内の内容液は、正圧によってノズル４０に達し、筒状流路４２ｃを通って径方向中央の噴出孔４４ｄから噴出される。
【００６８】
内容液の噴出後に胴部１２の圧搾が解除されると、胴部１２が元の形状に復元することで容器本体１０内に負圧が発生し、シール膜部６１ｂが段差部２３から離れて第１逆止弁６１が開き、ノズル流路Ｎの内部に残留した内容液がノズル４０から吸引される空気（外気）とともに戻し流路６０を介して容器本体１０の収容空間Ｓの内部に引き込まれる。このとき、収容空間Ｓ内の負圧により流通路２５ａ内にも負圧が生じるため、第２逆止弁１６５は閉塞状態となる。これによって、ノズル流路Ｎから流通路２５ａを通じて収容空間Ｓに戻る流路が閉塞されるため、ノズル流路Ｎ内に残留する内容液及び空気が再び流通路２５ａ及び混合室５２に戻ることがない。従って、常に空気導入孔５３と液導入孔５４の面積比で定まる所定の混合比で内容液と空気が混合されることになり、混合室５２内の内容液と空気との比率が変化することがない。
【００６９】
以上述べたように、本実施形態では、流出孔１３８に第２逆止弁１６５を設けたので、内容液を噴出させるために胴部１２を圧搾すると、この第２逆止弁１６５の上流側に所定圧力がかかるまでは第２逆止弁１６５が閉塞状態を維持するため、蓄圧感を向上させることができる。すなわち、第２逆止弁１６５が開放されるまでに容器本体１０内部に所定圧力が蓄圧され、その所定圧力を超えるように胴部１２を圧搾すると初めて第２逆止弁１６５が開放されて、蓄圧された容器本体１０内部の内容液が一気にノズル４０から噴出される。従って、内容液を勢いよく噴出させることができ、容器本体１０の胴部１２を圧搾する際の蓄圧感を高めることができる。また、ノズル流路Ｎ内に残留する内容液及び空気が再び流通路２５ａ及び混合室５２に戻ることがなく、常に空気導入孔５３と液導入孔５４の面積比で定まる所定の混合比で内容液と空気を混合することができる。従って、内容液と空気とを混合し、発泡させた後の泡質を良好に維持することができる。
【００７０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００７１】
１    泡噴出容器
１０    容器本体
１１    口部
１１ａ  雄ねじ部
１１ｂ  小突起
１１ｃ  大突起
１２    胴部
２０    装着キャップ
２１    装着部
２１ａ  雌ねじ部
２１ｂ  回り止めリブ
２２    シール筒部
２３    段差部
２５    流通筒部
２５ａ  流通路
２６    弁固定筒
３０    ノズル筒
３０ｂ  突起部
３２    先端筒部
３２ａ  突出部
３６    流入孔
３８    流出孔
４０    ノズル
４２    連結部材
４２ａ  外周壁
４２ｂ  中央壁
４２ｃ  筒状流路
４２ｄ  嵌合周壁
４２ｅ  雄ねじ部
４２ｇ  係合突部
４２ｈ  前壁
４２ｋ  係合リブ
４４    先端ノズル部
４４ａ  ノズル壁
４４ｂ  先端周壁
４４ｃ  閉塞部材
４４ｄ  噴出孔
４４ｅ  噴出孔
４４ｆ  被嵌合周壁
４４ｇ  前壁
４４ｈ  雌ねじ部
４４ｊ  凹溝
５０    区画部材
５０ａ  嵌合部
５１    孔形成部
５２    混合室
５３    空気導入孔
５４    液導入孔
５５    チューブ
５６    傘状体
５７    発泡部材
６０    戻し流路
６１    第１逆止弁
６１ａ  保持部
６１ｂ  シール膜部
１６５  第２逆止弁
１６５ａ  保持部
１６５ｂ  弁体
Ｃ      ノズルキャップ
Ｇ      隙間
Ｎ      ノズル流路
Ｓ      収容空間
【図１】
2019081601.tif 000003
【図２】
2019081601.tif 000004
【図３】
2019081601.tif 000005
【図４】
2019081601.tif 000006